(57)【特許請求の範囲】
【請求項１】
通路を有したチューブと、
上記チューブの先端に設けられ、薬液を噴霧する噴射孔を有した先端部と、
上記チューブの基端に設けられた本体部と、
上記本体部に設けられ、上記チューブの通路に連通する薬液供給口と、
上記本体部にあって、上記薬液供給口と上記チューブとの間に設けられ、上記薬液供給口から供給された薬液と空気とを混合する気液混合部と、
上記気液混合部において混合された薬液と空気とを上記チューブに送出する送出手段と、
を具備したことを特徴とする薬液噴霧チューブ。
【請求項２】
上記本体部の本体部材に上記気液混合部に空気を取り込む空気取入れ口を設けたことを特徴とする請求項１に記載の薬液噴霧チューブ。
【請求項３】
上記本体部に空気室を設け、上記薬液供給口から供給された薬液と上記空気室の空気を混合し、この混合体を上記チューブの通路に供給するようにしたことを特徴とする請求項１に記載の薬液噴霧チューブ。
【請求項４】
薬液を貯溜する貯溜手段と、
上記貯溜手段に接続され、上記貯溜手段に貯溜された薬液を送出する送出手段と、
上記貯溜手段と連通する連通孔を有する本体部と、
上記本体部の上記連通孔に接続され、上記貯溜手段から供給される薬液を送液する通路を有すると共に、該送液される薬液を外部に噴出するための噴出孔を先端に有するチューブと、
上記本体部の上記連通孔に備えられ、該連通孔の内部に外部の空気を流入するための空気取り入れ口と、
を有することを特徴とする薬液噴霧チューブ。
【請求項５】
上記空気取入れ口は、上記本体部の上記連通孔に向かう第１の方向に流体を通すと共に、該第１の方向とは逆の第２の方向に向かう流体の流れを阻止する逆止弁であることを特徴とする請求項４に記載の薬液噴霧チューブ。
【請求項６】
上記本体部の連通孔とチューブの通路との間に、上記チューブの先端方向に向かう第３の方向に流体を通すと共に、該第３の方向とは逆の第４の方向に向かう流体の流れを阻止する第２の逆止弁を備えたことを特徴とする請求項４または請求項５に記載の薬液噴霧チューブ。
【発明の詳細な説明】
【０００１】
【発明の属する技術分野】
本発明は、例えば内視鏡のチャンネルを通じて体腔内に挿入し、その体内の部位に薬液を散布するための薬液噴霧チューブに関する。
【０００２】
【従来の技術】
特開平５７−１７６３５号公報やＵＳＰ第５，５７９，７５８号で知られる従来の散布チューブは体内に挿入するチューブ先端部に噴射ノズル孔を設け、そのチューブ手元後端に設けられた口金に薬液を入れたシリンジを接続し、そのシリンジのピストンを押し込むことによりチューブを通じて薬液を送り込み、上記噴射ノズル孔から薬液を噴霧するようになっている。
【０００３】
一方、ＵＳＰ第５，０３１，６１３号やＵＳＰ第５，７２２，９５０号においてのものも同様であるが、特にＵＳＰ第５，０３１，６１３号のものでは気管チューブ内に薬液噴霧用カテーテルを挿通配置する二重管構造のものであり、カテーテルの先端に設けた噴射ノズル孔から薬液を体内に噴出させるようになっている。また、上記気管チューブの手元部には換気用の出口を設け、この出口に換気装置（ベンチレータ）が接続されている。しかし、これらのものにおいての薬液噴霧の原理はいずれも上記特開平５７−１７６３５号公報やＵＳＰ第５，５７９，７５８号のものと同様である。
【０００４】
また、ＵＳＰ第５，７２２，９５０号のものでは管状の延長ロッドハウジング内に各々外部の空気源と液体源と接続する空気通路と液体通路を独立して設け、ロッドハウジングの先端部で空気と液体を混合させて噴出させるようになっている。
【０００５】
ところで、特開平５７−１７６３５号公報、ＵＳＰ第５，５７９，７５８号及びＵＳＰ第５，０３１，６１３号のものはいずれもチューブの先端に設けた噴射用ノズル孔を通じて薬液を体内に噴霧する際、その噴霧する薬液の粒径が噴射ノズル孔の大きさによって決まる。また、噴霧する薬液の粒径が大きいと、均一に噴霧できなくなると共に、液ダレを起こし易くなる。そこで、噴射ノズル孔の径を小さくする必要がある。
【０００６】
しかし、上記噴射ノズル孔を小さくすると、噴射抵抗が高まり、シリンジのピストンを操作する際に必要な押込み力が極端に大きくなり、シリンジの操作が難くなる。
【０００７】
また、チューブにシリンジを付けたままでの１回の押込み操作だけではチューブ内に残った薬液まで噴霧することができない。チューブ内に残った薬液までも連続的に噴霧し続けたい場合にはチューブからシリンジを一旦取り外してピストンを戻さなければならない。つまり、チューブからシリンジをいちいち付けたり外したりしなければならない。よって、上記従来のものでは薬液を連続的に噴霧し続けることができなかったり、シリンジの着脱操作が煩わしかったりする。
【０００８】
さらに、上記ＵＳＰ第５，７２２，９５０号のものでは外部の空気源や液体源にチューブが接続されているため、操作性は良いが、管状の延長ロッドハウジング内の空気通路と液体通路を独立して設けることから、延長ロッドハウジングの外径が太くなってしまう。従って、この形式のものは内視鏡のチャンネルに挿通して使用するための構造として適さない。
【０００９】
【発明が解決しようとする課題】
本発明は上述した問題点に着目してなされたものであり、その目的とするところは内視鏡のチャンネル等に挿通して使用することが可能なように細径化が図れ、かつ操作性が良好な薬液噴霧チューブを提供することを目的とする。
【００１０】
【課題を解決するための手段】
請求項１に係る発明は、通路を有したチューブと、上記チューブの先端に設けられ、薬液を噴霧する噴射孔を有した先端部と、上記チューブの基端に設けられた本体部と、上記本体部に設けられ、上記チューブの通路に連通する薬液供給口と、上記本体部にあって、上記薬液供給口と上記チューブとの間に設けられ、上記薬液供給口から供給された薬液と空気とを混合する気液混合部と、上記気液混合部において混合された薬液と空気とを上記チューブに送出する送出手段と、を具備したことを特徴とする薬液噴霧チューブである。
【００１１】
請求項２に係る発明は、上記本体部の本体部材に上記気液混合部に空気を取り込む空気取入れ口を設けたことを特徴とする請求項１に記載の薬液噴霧チューブである。
【００１２】
請求項３に係る発明は、上記本体部に空気室を設け、上記薬液供給口から供給された薬液と上記空気室の空気を混合し、この混合体を上記チューブの通路に供給するようにしたことを特徴とする請求項１に記載の薬液噴霧チューブである。
請求項４に係る発明は、薬液を貯溜する貯溜手段と、上記貯溜手段に接続され、上記貯溜手段に貯溜された薬液を送出する送出手段と、上記貯溜手段と連通する連通孔を有する本体部と、上記本体部の上記連通孔に接続され、上記貯溜手段から供給される薬液を送液すると共に、該送液される薬液を外部に噴出するための噴出孔を先端に有するチューブと、上記本体部の上記連通孔に備えられ、該連通孔の内部に外部の空気を流入するための空気取り入れ口と、を有することを特徴とする薬液噴霧チューブである。
請求項５に係る発明は、上記空気取入れ口は、上記本体部の上記連通孔に向かう第１の方向に流体を通すと共に、該第１の方向とは逆の第２の方向に向かう流体の流れを阻止する逆止弁であることを特徴とする請求項４に記載の薬液噴霧チューブである。
請求項６に係る発明は、上記本体部の連通孔とチューブの通路との間に、上記チューブの先端方向に向かう第３の方向に流体を通すと共に、該第３の方向とは逆の第４の方向に向かう流体の流れを阻止する第２の逆止弁を備えたことを特徴とする請求項４または請求項５に記載の薬液噴霧チューブである。
【００１３】
【作用】
チューブに形成した通路を空気通路と液体通路として共用すると共にそのチューブの手元側において薬液と空気を混合させる。
【００１４】
【発明の実施の形態】
（第１実施形態）
図１乃至図３を参照して本発明の第１実施形態に係る内視鏡用薬液噴霧チューブについて説明する。
【００１５】
この内視鏡用薬液噴霧チューブ１は、中空のチューブ体２と、このチューブ体２の先端に設けられた噴霧用先端部３と、上記チューブ体２の手元側後端に接続された本体部４を主要部とする。本体部４には薬液を入れたシリンジ５を着脱自在に接続するシリンジ接続部６が設けられている。そして、シリンジ接続部６にシリンジ５を接続し、シリンジ５のピストンを押込み操作して、上記チューブ体２内の通路７を通じて上記先端部３に薬液を送りその先端部３に設けた後述するノズル部から薬液を霧状に噴射させるようになっている。
【００１６】
上記チューブ体２の内部には１本の通路７が形成されており、この１本の通路７で空気通路と液体通路を共用するようになっている。上記チューブ体２の外周には内視鏡のチャンネルに挿通した際等において挿入した長さがわかるような目盛８が付設されている。チューブ体２としては、例えばテフロン等のフッ素樹脂、ポリウレタン、シリコン、ポリイミド等の樹脂を材料とし、軟性なものとして形成されているが、ステンレス等の金属管等でも良く、また、硬性のものであっても良い。
【００１７】
上記先端部３は図２で示す如く、ノズル部が構成される。すなわち、先端部３は略筒状の先端部材１１を有しており、この先端部材１１は上記チューブ体２と外径が同じであり、そのチューブ体２と先端部材１１は同軸的に接続されている。先端部材１１の先端壁中央にはチューブ体２と同軸的に位置する噴射孔１２が形成されている。
【００１８】
先端部材１１の内空部１３にはスクリュー体１４が同軸的に配置されている。スクリュー体１４の周面部分には先端から後端にわたり螺旋状に形成されて前後に突き抜ける螺状溝１５が形成されている。上記スクリュー体１４の螺状溝１５を形成するねじ状の頂部は内空部１３の内面に密着しており、その螺状溝１５は内空部１３の内面によって密に覆われている。このため、螺状溝１５を通してのみ流体が流れて、内空部１３内に渦巻流を発生させる。
【００１９】
上記本体部４は図３で示す如く構成される。本体部４は略筒状の本体部材２１を有し、この本体部材２１の先端には上記チューブ体２の後端が取着されている。本体部材２１の後端部には上記シリンジ接続部６が形成されている。このシリンジ接続部６により上記チューブ体２の内孔からなる通路７に薬液を供給する薬液供給口２３を形成している。シリンジ接続部６はシリンジ５の接続筒部が着脱自在に係着するようにルアーロック状に形成されている。
【００２０】
上記本体部材２１内には上記チューブ体２の内孔に連通した内空部２２が形成されている。本体部材２１の側壁部分には上記内空部２２に連通した空気取入口２４が形成されている。この空気取入口２４にはフィルター２５と、上記内空部２２に連通する孔２６を有している。上記フィルター２４は空気は通すが、液体は通さないシート状の部材、例えばゴアテックス（商品名）で形成されている。また、空気取入口２４には空気や液体を外に逃がさない逆止弁２７が設けられている。
【００２１】
そして、上記内空部２２において上記薬液供給口２３から供給された薬液に上記空気取入口２４から取り込まれる空気を混合する気液混合部を構成している。ここで混合された流体は上記チューブ体２の通路７に供給される。
【００２２】
ここでの内視鏡用薬液噴霧チューブ１は例えば気管支内視鏡のチャンネルに挿通して使用し、内視鏡検査中に気管内患部に麻酔薬を噴霧する場合等において使用される。
【００２３】
次に、上記内視鏡用薬液噴霧チューブ１の作用について説明する。まず、内視鏡のチャンネルを通じてチューブ体２を体腔内に挿入する。このとき、上記チューブ体２の外周に設けた目盛８により薬液噴霧チューブ１の先端部３と内視鏡先端部との位置関係が分かる。特に、内視鏡先端部から先端部３が突き出したことが確認できる。
【００２４】
薬液噴霧チューブ１の先端部３が内視鏡先端部から突き出していない状態では効果的な噴霧が得られないが、この実施形態では目盛８により内視鏡先端部から突き出している位置が明確に分かり、体腔内に対する効果的な噴霧が可能である。
【００２５】
そこで、薬液を入れたシリンジ５をシリンジ接続部６に接続し、シリンジ５のピストンを押し込む。すると、シリンジ５内の薬液が薬液噴霧チューブ１のチューブ体２に注入される。これと同時に空気取入口２４から内空部２２に空気が取り込まれ、この内空部２２において、上記薬液と空気が混合される。この混合流体が、チューブ体２の通路７内を通って送り出され、先端部３の噴射孔１２から噴霧する。上記薬液は空気と混合されるため、噴霧する薬液の粒径が小さく、液ダレは起こらず、均一に分散する状態で噴霧することができる。
【００２６】
また、薬液と空気の混合流体が先端部３の内空部１４を通るとき、スクリュー体１４の螺状溝１５を経て渦巻流になり、渦巻流の状態で、噴射孔１２から噴霧する。また、薬液と空気を混合することにより粒径の細かい薬液を広範囲にわたり均一に散布することができる。
【００２７】
また、シリンジ５のピストンを押し込みきったところで、上記チューブ体２や本体部４の内部に残った薬液まで完全に噴霧させたいときには上記シリンジ５を外さずにピストンをゆっくり引き戻す。すると、空気取入口２４から内空部２２内に外気が取り込まれるため、本体部４の内空部２２には負圧が発生せず、上記チューブ体２や本体部４の内部に残った薬液が逆流しない。従って、シリンジ５のピストンを繰り返し押し引き操作することができる。これにより上記チューブ体２や本体部４の内部に残った薬液まで完全に噴霧させることができる。このため、薬液を無駄なく有効に使用することができると共に、チューブ体２や本体部４からシリンジ５をいちいち外したりする煩わしさがなく、薬液を連続的に噴霧し続けることができる。
【００２８】
また、薬液と空気の通路として、チューブ体２の内孔によって形成される一本の通路７を共用するため、薬液噴霧チューブ１のチューブ体２の外径を細くすることができる。従って、内視鏡のチャンネルに挿通して使用する上で都合がよい。
【００２９】
（第２実施形態）
図４を参照して本発明の第２実施形態に係る内視鏡用薬液噴霧チューブについて説明する。
【００３０】
この第２実施形態は本体部４に設ける空気取入口２４の変形例であり、これ以外は前述した第１実施形態のものと同じである。ここでの空気取入口２４は本体部材２１に一端が連結された延長用チューブ３１の先端に設けられる。
【００３１】
延長用チューブ３１は本体部材２１の内空部２２に連通している。延長用チューブ３１の延出端に設けられた空気取入口部材３２の内部にはこれより取り込む外部の空気を通すフィルター３３が設けられている。上記フィルター３３は押え部材３４によって固定されている。また、空気取入口部材３２の内部には漏れ防止用の逆止弁（図示せず）が設けられている。
【００３２】
（第３実施形態）
図５および図６を参照して本発明の第３実施形態に係る内視鏡用薬液噴霧チューブについて説明する。
【００３３】
この第３実施形態では本体部４の本体部材２１の内部に上記チューブ体２内にそれぞれ連通する空気通路４１と薬液通路４２を別々に設けたものである。つまり、上記チューブ体２の通路７に通じる１本の通孔４３に空気通路４１と薬液通路４２が合流し、空気通路４１と薬液通路４２がチューブ体２の通孔４３から分岐する三叉の通路を形成するようになっている。
【００３４】
上記空気通路４１の途中には図６で示す如く、フィルター３３を設けて外部と連通する孔４４が設けられており、ここから外部の空気を取り込むようになっている。つまり、本体部材２１に形成された孔４４により空気取入れ口４５を形成する。また、空気取入口４５には漏れ防止用の逆止弁（図示せず）が設けられている。
【００３５】
上記空気通路４１には空気用シリンジ４６が接続され、上記薬液通路４２には薬液用シリンジ４７が各々接続される。空気用シリンジ４６のピストンと薬液用シリンジ４７のピストンには共通の操作釦４８が接続される。共通の操作釦４８により空気用シリンジ４６のピストンと薬液用シリンジ４７のピストンを同時に操作できる。
【００３６】
そして、各シリンジ４６，４７が操作されることにより上記空気通路４１には空気が取り込まれ、上記薬液通路４２には薬液が供給される。この空気と薬液が混合してチューブ体２の通路７に供給される。シリンジ４６，４７を繰り返して操作することによりチューブ体２の通路７内に残った薬液まで完全に噴霧させることができる。
これ以外については上述した第２実施形態または第３実施形態のものと同様である。
【００３７】
（第４実施形態）
図７を参照して本発明の第４実施形態に係る内視鏡用薬液噴霧チューブについて説明する。
【００３８】
この第４実施形態では本体部４の本体部材２１の内部に上記チューブ体２の内孔よって形成される通路７に連通する空気室５１を設けたものである。この空気室５１の容積は前述した各実施形態の内空部２２よりも大きくなるように形成する。特に、上記チューブ体２の容積より大きく構成することが望ましい。
【００３９】
このように空気室５１の容積を大きく形成することにより、その空気室５１内で薬液と空気とが十分に混合してから上記チューブ体２を通じて先端部３に送り込まれ、その噴射孔１２から噴出させることができる。このように空気室５１内で薬液と空気を十分に混合させることができるため、噴霧する薬液の粒径を細かくして液ダレがなく均一に噴霧することができる。また、空気室５１内でシリンジ５の容量一杯の薬液を空気と十分に混合することができる。つまり、大きな容量の空気室５１を設け、この内部の空気と薬液を混合させるために比較的大量の薬液を連続して使用することができる。
【００４０】
（第５実施形態）
図８および図９を参照して本発明の第５実施形態に係る内視鏡用薬液噴霧チューブについて説明する。
【００４１】
この第５実施形態の内視鏡用薬液噴霧チューブ１は内視鏡６１のチャンネル口６２に固定できる固定部６３を設けたものである。
【００４２】
この固定部６３はチャンネル口６２に着脱自在に接続可能な接続部材６４と、この接続部材６４に対してねじ込む締付部材６５を有し、接続部材６４に締付部材６５をねじ込んでいくことによりＯリング等の弾性部材６６を押し潰して、内視鏡用薬液噴霧チューブ１のチューブ体２を締め付けて固定することができる。チューブ体２はその先端部３を内視鏡６１の挿入部先端から任意の長さに突出させた状態で内視鏡６１のチャンネル口６２に固定することができる。
【００４３】
この実施形態によれば、チューブ体２の先端部３を内視鏡６１の挿入部先端から突き出した任意の位置で、そのチューブ体２を固定し、安定した状態で薬液の噴霧を行うことができる。また、チューブ体２を内視鏡６１に固定しておけるので、術者はチューブ体２を保持している必要がなくなるため、操作性が向上する。
【００４４】
なお、チューブ体を内視鏡に保持固定する手段は上記の例に限らず、種々の方式が考えられる。
【００４５】
（第６実施形態）
図１０を参照して本発明の第６実施形態に係る内視鏡用薬液噴霧チューブについて説明する。
【００４６】
本実施形態の内視鏡用薬液噴霧チューブ１は中空チューブ体２と、このチューブ体２の先端に設けられた噴霧用先端部３と、上記チューブ体２の手元側に接続された基端部としての本体部４を主体として構成される。
【００４７】
本体部４は略筒状の本体部材２１を有し、この本体部材２１の先端には上記チューブ体２の後端が取着されている。チューブ体２や先端部３の構造は前述した第１実施形態のものと同様であり、ノズル部も当然同様に構成されている。
【００４８】
また、本体部材２１の後端部分は開口しており、この後端部分には、チューブ体２の折れを防止するためにそのチューブ体２の内孔に挿通されるスタイレット７１の接続つまみ７２を取り外し自在に装着するようにしたルアー形状を有するスタイレット接続部７３が形成されている。スタイレット７１はその接続つまみ７２とチューブ体２の内孔に隙間を空けた遊挿状態で配置されるワイヤ状の芯部７４を設けて構成されている。接続つまみ７２は本体部材２１の後端開口部分に気密的に嵌合すると共に、スタイレット接続部７３に対して着脱自在に接続固定されるようになっている。
【００４９】
本体部材２１の後端付近の側壁部には後述する別体の噴霧（注入）器７５を接続するためのルアー形状を有する噴霧器接続部７６が形成されている。
【００５０】
上記噴霧器７５は薬液噴霧チューブ１の噴霧器接続部７６に接続するための接続部本体８１と、この接続部本体８１と同軸上で結合している噴霧器本体８２と、この噴霧器本体８２の途中側壁に設けた接続口部に結合した注入本体８３と、噴霧器本体８２と注入本体８３の間に配置され、液体や気体が外向きに逆流しないように防止するための逆止弁８４と、接続部本体８１と噴霧器本体８２の間に配置され、液体や気体が外向きに逆流しないように防止するための逆止弁８５と、接続部本体８１を薬液噴霧チューブ１の接続部７６に固定するための固定リング８６から構成される。
【００５１】
接続部本体８１は薬液噴霧チューブ１の接続部７６に嵌合して接続するための嵌合部８７と、固定リング８６を軸上にスライド自在に被嵌させるスライド部８８と、固定リング８６を接続部本体８１から抜けないようにするストッパー８９と、噴霧器本体８２に接続するためのネジ部９０と、逆止弁８５を配置するための段差のある内部空間９１とが設けられている。
【００５２】
噴霧器本体８２の基端には噴霧器本体８２内の空気を吸入するための図示されていない第１のシリンジを接続するルアー部９２が設けられている。また、噴霧器本体８２の先端には接続部本体８１に接続されるネジ部９３が設けられ、さらに、噴霧器本体８２の途中側壁に設けた接続口部には注入本体８３を接続するネジ部９４が設けられている。
【００５３】
注入本体８３の基端部には噴霧器本体８２に薬液や空気を注入するための図示されていない第２のシリンジを接続するためのルアー部９５が設けられ、注入本体８３の先端側部分には上記噴霧器本体８２とその注入本体８３の間で上記逆止弁８４を固定するための段差付きの内部空間９６と、上記噴霧器本体８２を接続するためのネジ部９７が設けられている。
【００５４】
上記固定リング８６は接続部７６のルアー突起部９８とネジ状に嵌合するための嵌合溝９９と、接続部本体８１上のストッパー８９と係合するための突起部１００とが設けられている。
【００５５】
（作用）
上記構成の噴霧器７５は噴霧器本体８２に空気取入れ口と逆止弁を設けてあり、これを使用する場合には、まず、図示しない内視鏡の鉗子チャンネルを通じて薬液噴霧チューブ１のチューブ体２を体腔内に挿入する。さらに、薬液噴霧チューブ１の本体部材２１における噴霧器接続部７６に上記噴霧器７５を接続する。
【００５６】
次に、噴霧器７５の基端にあるルアー部９２に第１のシリンジを接続すると共に、注入本体８３のルアー部９５に、１〜３mlの薬液を入れた第２のシリンジを接続する。
【００５７】
そして、第２のシリンジにより薬液を噴霧器７５の中に注入する。この後、第２のシリンジを注入本体８３から取り外す。尚、第２のシリンジを取り外しても噴霧器本体８２と注入本体８３の間には逆止弁８４が設けられているので、薬液や気体が逆流してルアー部９２の開口から漏れ出すことがない。
【００５８】
噴霧器本体８２のルアー部９２に接続した第１のシリンジのプランジャーを引いて、第２のシリンジを取り外した注入本体８３におけるルアー部９５の開口から噴霧器本体８２内に空気を取り込むと共に、この空気を第１のシリンジ内に吸入して溜める。
【００５９】
その後、第１のシリンジのプランジャーを手早く押し込み、噴霧器本体８２の内空に圧力をかけて、その噴霧器本体８２内に取り込まれていた薬液を接続部本体８１を通じて薬液噴霧チューブ１内に送り込む。薬液はチューブ体２の通路７内を通って送られ、先端部３の噴射孔１２から噴霧する。
【００６０】
また、再び、第１のシリンジのプランジャーを引いて、第２のシリンジを取り外した注入本体８３におけるルアー部９５の開口から空気を取り込み、第１のシリンジ内に吸入し、そして、第１のシリンジのプランジャーを手早く押し込み、噴霧器本体８２の内空に圧力をかけて、噴霧器本体８２内に取り込まれていた薬液を薬液噴霧チューブ１に送り出し、先端部３の噴射孔１２から噴霧する。これを何度か繰り返し、薬液の噴霧を連続的に行なうことができる。
【００６１】
噴霧器本体８２内に取り込まれていた薬液がなくなったら、注入本体８３のルアー部９５に、再び薬液を入れた第２のシリンジを接続して、噴霧器７５の中に薬液を注入追加する。そして、上記同様に第１のシリンジの操作を行なって薬液噴霧チューブ１を通じての噴霧を行なう。つまり、上記動作を繰り返し行なうことで、薬液の噴霧を続けて行なうことができる。
【００６２】
ところで、第２のシリンジにより噴霧器７５の中に注入された薬液はその噴霧器本体８２及び接続部本体８１のみならず、薬液噴霧チューブ１のチューブ体２にわたり、その内部空間に少量ずつ点在して溜まっており、第１のシリンジにより瞬間的に空気圧をかけることで、内部空間からなる気液混合部に点在している薬液が空気と混合して、少しずつチューブ体２の通路７内を通って先端部３から放出され、この放出の際、ある程度の空気圧がかかっていることにより薬液がチューブ体２の先端部３から噴霧される。
【００６３】
（効果）
本実施形態によれば、チューブ体２の内部に空気を取り込む場合、シリンジを１回１回取り外すことなく、連続的に送気することができる。また、ルアー部９５から第２のシリンジを使って薬液を追加することができる。さらに、２つの逆止弁８５,８４を具備することで、薬液の逆流を防止することができる。
【００６４】
本発明において、使用する薬液は麻酔薬に限らず、色素、抗生物質や抗がん剤、造影剤等でもよく、また、遺伝子治療等の場合のように微量の薬液を注入する場合にも適用することができる。
【００６５】
上記空気取入れ口は外部のポンプ等の空気源にチューブを介して接続するようにしても良い。上記薬液供給口についても外部のシリンダポンプ等の流体源にチューブを介して接続するようにしても良く、このようにした場合には自動噴霧が可能となる。
【００６６】
＜付記＞
１．通路を有したチューブと、このチューブの先端に設けられ、薬液を噴霧する噴射孔を有した先端部と、上記チューブの基端に設けられた本体部と、上記本体部に設けられ、上記チューブの通路に連通する薬液供給口と、上記本体部に設けられ、上記薬液供給口から供給された薬液に空気を混合し、この混合流体を上記チューブの通路に供給する気液混合部とを具備したことを特徴とする薬液噴霧チューブ。
【００６７】
２．上記本体部の本体部材に上記気液混合部に空気を取り込む空気取入れ口を設けたことを特徴とする第１項に記載の薬液噴霧チューブ。
３．上記空気取入れ口は上記本体部の本体部材に直接に形成したことを特徴とする第２項に記載の薬液噴霧チューブ。
４．上記空気取入れ口は上記本体部の本体部材から導出するチューブを介して設けたことを特徴とする第２項に記載の薬液噴霧チューブ。
【００６８】
５．上記本体部に空気室を設け、上記薬液供給口から供給された薬液と上記空気室の空気を混合し、この混合体を上記チューブの通路に供給するようにしたことを特徴とする第１項に記載の薬液噴霧チューブ。
６．内視鏡のチャンネル口に着脱自在に固定できる固定部材を設けたことを特徴とする第１〜３項に記載の薬液噴霧チューブ。
【００６９】
【発明の効果】
以上説明したように本発明によれば、チューブ体に形成した通路を空気通路と液体通路として共用させると共にチューブの手元側において薬液と空気を混合させることができるため、内視鏡のチャンネル等に挿通して容易に使用することが可能な程度の細径化が十分に図れ、かつ操作性が良好な薬液噴霧チューブを提供することができる。
【図面の簡単な説明】
【図１】第１実施形態に係る内視鏡用薬液噴霧チューブの側面図。
【図２】上記内視鏡用薬液噴霧チューブの先端部の縦断面図。
【図３】上記内視鏡用薬液噴霧チューブの本体部の縦断面図。
【図４】第２実施形態に係る内視鏡用薬液噴霧チューブの本体部の縦断面図。
【図５】第３実施形態に係る内視鏡用薬液噴霧チューブの側面図。
【図６】図５中Ａ−Ａ線に沿う部分の横断面図。
【図７】第４実施形態に係る内視鏡用薬液噴霧チューブの側面図。
【図８】第５実施形態に係る内視鏡用薬液噴霧チューブの使用状態の説明図。
【図９】同じくその薬液噴霧チューブを内視鏡に装着した固定部の断面図。
【図１０】第６実施形態に係る内視鏡用薬液噴霧チューブの縦断面図。
【符号の説明】
１…内視鏡用薬液噴霧チューブ、２…チューブ体、
３…噴霧用先端部、４…本体部、５…シリンジ、
６…シリンジ接続部、７…通路、１１…先端部材、
１２…噴射孔、１３…内空部、１４…スクリュー体、
２１…本体部材、２２…内空部、２３…薬液供給口、
２４…空気取入口、２５…フィルター、２６…孔。
【図１】
0003652216.tif 000002
【図２】
0003652216.tif 000003
【図３】
0003652216.tif 000004
【図４】
0003652216.tif 000005
【図５】
0003652216.tif 000006
【図６】
0003652216.tif 000007
【図７】
0003652216.tif 000008
【図８】
0003652216.tif 000009
【図９】
0003652216.tif 000010
【図１０】
0003652216.tif 000011